(57)【要約】【課題】カウンターやエプロン等によって囲われたサウナユニット等のオプションを配置する領域に生じた結露水を洗い場領域側に効率的に流し込むことができ、当該領域上に結露水が溜まることを防止できるようにすること。【解決手段】浴室床１２は、洗い場領域２０と、この洗い場領域２０に隣接してサウナユニット１７が設置されるサウナ設置領域２１とからなる。サウナ設置領域２１には、当該領域の湯水を洗い場領域２０側に向かわせる排水促進部２３が設けられ、この排水促進部２３は、洗い場領域２０側に向かって次第に下降する勾配を有する傾斜面部２５と、この傾斜面部２５の上面側に形成されて洗い場領域２０に向かって延びる複数の溝２６とを備えて構成されている。【選択図】      図２
2004308153.tif 000002
【特許請求の範囲】
【請求項１】
洗い場領域と、この洗い場領域に隣接するとともに、所定の仕切体により形成されるオプション配置領域とを有する浴室床において、
前記オプション配置領域に、当該領域の湯水を洗い場領域側に向かわせる排水促進部を設けたことを特徴とする浴室床。
【請求項２】
洗い場領域と、この洗い場領域に隣接するとともに、サウナユニットが設置されるサウナ設置領域とを有する浴室床において、
前記サウナ設置領域に、当該領域の湯水を洗い場領域側に向かわせる排水促進部を設けたことを特徴とする浴室床。
【請求項３】
前記排水促進部は、洗い場領域側に向かって下降する勾配を備えた傾斜面部を含んで構成されていることを特徴とする請求項１又は２記載の浴室床。
【請求項４】
前記傾斜面部は、洗い場領域に隣接する第１の領域と、この第１の領域の洗い場領域と反対側でオプション配置領域内又はサウナ設置領域内に位置する第２の領域とを備え、第１の領域の勾配は、第２の領域の勾配より大きく設定されていることを特徴とする請求項３記載の浴室床。
【請求項５】
前記排水促進部は、洗い場領域に向かって延びる複数の溝を含んで構成されていることを特徴とする請求項１から４の何れかに記載の浴室床。
【請求項６】
前記溝により囲まれる位置に凸部がそれぞれ形成され、
前記溝は、その幅が０．５〜３ｍｍに設定され、深さが０．３〜１．５ｍｍに設定されている一方、前記凸部の平面積は、６〜２２０ｍｍ２に設定されていることを特徴とする請求項５記載の浴室床。
【発明の詳細な説明】
【０００１】
【発明の属する技術分野】
本発明は、浴室床に係り、更に詳しくは、エプロン等の仕切体によって隠れる領域やサウナユニットが設置される領域に排水性を付与することができる浴室床に関する。
【０００２】
【従来の技術】
近時、住宅の浴室等にあっては、当該浴室内を暖房するため、温湿風（ミスト）を吹き出し可能なサウナユニットが利用されている。このようなサウナユニットを設置する浴室床の構造としては、例えば、図５に示されるタイプのものが存在する。
【０００３】
同図において、浴室床５０は、排水口５１を有する洗い場領域５２と、この洗い場領域５２の排水口５１側に連なって起立する立ち上がり部５３と、この立ち上がり部５３の上端に連なって略水平方向に延びるとともに、サウナユニット５５が設置されるサウナ設置領域５６とを備えて構成されている。サウナユニット５５は、立ち上がり部５３と略同一面上に位置するエプロン５７及びその上部に設けられたカウンター５８により囲われており、吹出口５５Ａ以外の構成部品が洗い場領域５２側から隠れるようになっている。
【０００４】
【発明が解決しようとする課題】
しかしながら、前記サウナユニット５５を作動すると、ミスト等の吹き出し時に、エプロン５７やカウンター５８により囲われた空間が高温多湿となるため、エプロン５７の内面等に結露水が生じ易くなる。この結露水は、サウナ設置領域５６が略水平とされるため、当該領域５６上に流れ落ちて溜まってしまい、これにより、エプロン５７の内面等にカビが発生し易くなったりして、サウナユニット５５の故障要因の一つ等になっている。しかも、エプロン５７等で囲われた空間は、通常、洗い場領域５２側から隠蔽された空間となるため、結露水を取り除く場合、エプロン５７を取り外す等の面倒な作業が必要になるという不都合も招来する。
なお、前記サウナユニット５５がない浴室であっても、エプロン５７等に囲われた領域には内外における温度差によって結露水が生じ、前述と同様の不都合がある。
【０００５】
【発明の目的】
本発明は、このような不都合に着目して案出されたものであり、その目的は、カウンターやエプロン等によって囲われたサウナユニット等のオプションを配置する領域の内側に生じた結露水を洗い場領域側に流し込むことができ、結露水が溜まることを防止できる浴室床を提供することにある。
【０００６】
【課題を解決するための手段】
前記目的を達成するため、本発明は、洗い場領域と、この洗い場領域に隣接するとともに、所定の仕切体により形成されるオプション配置領域とを有する浴室床において、
前記オプション配置領域に、当該領域の湯水を洗い場領域側に向かわせる排水促進部を設ける、という構成を採っている。このような構成によれば、仕切体等によってオプション配置領域が囲われた場合であっても、仕切体を取り外すことなく、オプション配置領域上の結露等により生じた湯水を洗い場領域側に排水させることが可能となる。
【０００７】
また、本発明は、洗い場領域と、この洗い場領域に隣接するとともに、サウナユニットが設置されるサウナ設置領域とを有する浴室床において、
前記サウナ設置領域に、当該領域の湯水を洗い場領域側に向かわせる排水促進部を設ける、という構成を採っている。このように構成することで、サウナユニットにより結露水が生じ易くなるサウナ設置領域において、結露水が溜まることを効果的に抑制することができ、カビの発生を回避することが可能となる。
【０００８】
【発明の実施の形態】
本発明において、前記排水促進部は、洗い場領域側に向かって下降する勾配を備えた傾斜面部を含んで構成されることが好ましい。このような構成によれば、簡単な構成により、結露により生じた湯水を洗い場領域側に自動的に流し込んで排水することができ、結露水の拭き取り等のメンテナンスを不要とすることが可能となる。
【０００９】
また、前記傾斜面部は、洗い場領域に隣接する第１の領域と、この第１の領域の洗い場領域と反対側でオプション配置領域内又はサウナ設置領域内に位置する第２の領域とを備え、第１の領域の勾配は、第２の領域の勾配より大きく設定される、という構成も採用することができる。このような構成を採れば、第１の領域を垂直面に近似した勾配に設定することにより、傾斜面部の排水性を維持しつつ洗い場領域側から排水促進部側への湯水の侵入を防止することができる。
【００１０】
更に、前記排水促進部は、洗い場領域に向かって延びる複数の溝を含んで構成される、という構成を採ることができる。このような構成により、結露水が溝を通って洗い場領域側に流れ込むこととなり、排水性をより向上させることが可能となる。
【００１１】
また、本発明は、前記溝により囲まれる位置に凸部がそれぞれ形成され、
前記溝は、その幅が０．５〜３ｍｍに設定され、深さが０．３〜１．５ｍｍに設定されている一方、前記凸部の平面積は、６〜２２０ｍｍ２に設定される、という構成を採ることが好ましい。このような構成によれば、溝内に毛細管現象により湯水を誘引する力を発揮させることができ、結露水が水滴状に残存することを防止して排水性をより一層向上させることが可能となる。
ここで、凸部の平面積が６ｍｍ２未満であると、複数の凸部上の水滴がまとまって大きい水滴となって残存し易くなり、また、凸部の平面積が２２０ｍｍ２を越えても、凸部上に乾燥し難い大きい水滴が残存し易い。
更に、溝幅が０．５ｍｍ未満であると、溝内に汚れが堆積して当該溝において撥水作用を生じて溝内を湯水が流れ難くなった場合に、その汚れの除去が困難となる一方、溝幅が３ｍｍを越えると、凸部上の湯水を溝内に誘引する毛細管現象の効果が失われてしまう。
また、溝の深さが０．３ｍｍ未満であると、前記毛細管現象の効果が失われてしまう一方、溝の深さが１．５ｍｍを越えると、誘引効果は高いものの底部に汚れが堆積した際の清掃を行うことが著しく困難となる。
ここで、好ましくは、溝幅を１．０〜２．０ｍｍ、溝の深さを０．５〜１．０ｍｍに設定するとよい。このような範囲によれば、溝内の洗浄容易性を維持しつつ、前記毛細管現象の効果を更に向上できるという利点を得る。
【００１２】
【実施例】
以下、本発明の実施例について図面を参照しながら説明する。
【００１３】
図１には、本実施例に係る浴室床が適用された浴室ユニットの一部概略斜視図が示されている。この図において、浴室ユニット１０は、壁面１１と、当該壁面１１の内側に配置された浴室床１２及び浴槽１３と、この浴槽１３に隣接して浴室床１２上に設けられるとともに、略鉛直方向に沿って延びる仕切体としてのエプロン１５と、このエプロン１５上に配置されるとともに、略水平姿勢に設けられて図示しない洗面器等が載置されるカウンター１６と、エプロン１５及びカウンター１６の内部側に設置されたサウナユニット１７とを備えて構成されている。
【００１４】
前記浴室床１２は、特に限定されるものではないが、ＳＭＣ等のＦＲＰ（繊維強化プラスチック）によって形成される。浴室床１２は、図１及び図２に示されるように、平面視半円弧状の排水口１９を有する洗い場領域２０と、この洗い場領域２０の排水口１９側に連なるとともに、前記エプロン１５と壁面１１との間に形成されたサウナ設置領域２１とを備えて構成されている。排水口１９の内部には、洗い場領域２０の上面と略面一となるカバー部材２２が配置されている。また、洗い場領域２０は排水口１９へ向かって傾斜する水勾配を備えている。ここで、サウナ設置領域２１には、排水促進部２３が設けられている。
【００１５】
前記排水促進部２３は、洗い場領域２０側（図２中左側）に向かって次第に下降する勾配を有する傾斜面部２５と、この傾斜面部２５の上面側に形成された複数の溝２６（図３参照）とを備えて構成されている。
【００１６】
前記傾斜面部２５は、洗い場領域２０の排水口１９側に隣接するとともに、前記エプロン１５の下端部との間に隙間Ｓを介して位置する第１の領域２８と、この第１の領域２８の上端側に連なって断面視略円弧状をなす湾曲面部２９と、この湾曲面部２９の上端側に連なるとともに、サウナユニット１７の直下に位置して壁面１１に達する第２の領域とを備えている。第１の領域２８の勾配は、第２の領域３０の勾配より大きく設定されている。具体的には、第１の領域２８は、鉛直面に対し若干傾斜する勾配に設定される一方、第２の領域３０は、比較的緩い勾配に設定されている。
【００１７】
前記溝２６は、図３に示されるように、傾斜面部２５の上面側に平面視格子状に形成されており、これら溝２６によって囲まれる位置に凸部３２がそれぞれ形成されている。溝２６は、その幅が０．５〜３ｍｍ、深さが０．３〜１．５ｍｍとなる断面視略凹状に形成され、毛細管現象によって隣接する凸部３２上の湯水を溝２６内に誘引できるようになっている。一方、凸部３２は、特に限定されるものでないが、一辺の長さが８〜１１ｍｍの平面視略正方形状とされている。
【００１８】
前記サウナユニット１７は、ボルト等の取付具３３を介して壁面１１に取り付けられている。サウナユニット１７は、筐体３５と、この筐体３５内に設けられるとともに、図示しない吸気口から空気が供給される熱交換器３６と、エプロン１５に取り付けられるとともに、熱交換器３６からファン３７を介して送り出された空気を洗い場領域２０側に吹き出す吹出口３８とを備えて構成され、吹出口３８から温湿風（ミスト）や乾いた温風を吹き出しできるようになっている。
【００１９】
以上の構成において、サウナユニット１７を作動させると、エプロン１５及びカウンター１６を隔てて洗い場領域２０側とサウナ設置領域２１側とで温度差が生じたり、サウナユニット１７回りの湿度が高くなることにより、壁面１１やエプロン１５、カウンター１６の内面等に結露が発生する場合がある。この結露により生じた湯水（結露水）は、エプロン１５等の内面を伝って傾斜面部２５上に流れ落ちたり、当該傾斜面部２５上に直接流れ落ちる。そして、傾斜面部２５における結露水は、当該傾斜面部２５の勾配によって洗い場領域２０側に流れ込むとともに、少量の結露水が表面張力によって各凸部３２上に残存しようとする。このとき、各凸部３２上の結露水は、毛細管現象によって溝２６内に誘引され、当該溝２６を通って洗い場領域２０側に流れ込む。
【００２０】
従って、このような実施例によれば、エプロン１５及びカウンター１６によって隠蔽された領域に傾斜面部２５を設けたので、結露水が生じた場合であっても、エプロン１５等を取り外すことなく洗い場領域２０側に難なく排水することができる。しかも、結露水が溝２６内に誘引されるので、傾斜面部２５上に水滴も残存し難くなり、乾燥性をも向上させることが可能となる。
【００２１】
本発明を実施するための最良の構成、方法などは、以上の記載で開示されているが、本発明は、これに限定されるものではない。
すなわち、本発明は、特定の実施例に関して特に図示し、且つ、説明されているが、本発明の技術的思想及び目的の範囲から逸脱することなく、以上に述べた実施例に対し、形状、数量、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２２】
前記傾斜面部２５の構成は、種々の設計変更が可能であり、例えば、図４に示されるように、断面視したときに、洗い場領域２０側に向かって略直線状に延びるような形状に代替することができる。また、傾斜面部２５は、その外周部が高く、且つ、排水口１９近傍位置が低くなるように傾斜する湾曲した面形状に形成してもよく、これによれば、傾斜面部２５上を流れる湯水を排水口１９付近に集中できるという利点を得る。
【００２３】
また、前記実施例におけるサウナユニット１７は、省略したり、サウナユニット１７に代えて他のオプションとしての水栓装置等を配置してもよく、この場合、サウナ設置領域１７は、水栓装置やカウンター１６等を配置するためのオプション配置領域とされる。
【００２４】
更に、前記実施例では、溝２６及び凸部３２を傾斜面部２５に形成した場合を説明したが、洗い場領域２０にも同様の形状をなす溝２６及び凸部３２を形成してもよい。
【００２５】
前記溝２６は、幅が０．５〜３ｍｍ、深さが０．３〜１．５ｍｍの範囲内であれば、断面視Ｖ字形状やＵ字形状、角部を有するものや曲面部を有するもの等、様々な形状の溝を採用することができると共に、全体を同一形状にする必要はなく、部分的に溝２６の形状を変えるように構成しても良い。また、前記凸部３２も、凸部１５の平面積が約６〜２２０ｍｍ２の範囲内でれば、配置数、平面積や平面形状を変えてもよい。更に、溝２６の底面や凸部３２の表面に数μｍの凹凸を形成することにより凸部３２上の水滴の面積を拡大させたり溝２６の誘引力を強くさせたりすることも可能である。
【００２６】
【発明の効果】
以上説明したように、本発明は、仕切体により形成されるオプション配置領域に、当該領域の湯水を洗い場領域側に向かわせる排水促進部を設けたから、エプロン等の仕切体によってオプション配置領域が囲われたとしても、仕切体を取り外すことなく、当該領域上に結露により生じた湯水を洗い場領域側に排水することができる。
【００２７】
また、サウナユニットが設置されるサウナ設置領域に排水促進部を設けた場合には、結露が比較的生じやすいサウナ設置領域における結露水の残存を防止することができ、カビの発生等を未然に回避することが可能となる。
【００２８】
更に、排水促進部を洗い場領域側に傾斜する傾斜面部とした場合には、簡単な構成により、結露により生じた湯水を洗い場領域側に効率的に排水することができ、メンテナンスも容易となる。
【００２９】
また、洗い場領域に隣接する傾斜面部の第１の領域が、洗い場領域と反対側に位置する第２の領域より大きい勾配を備えているから、第１の領域を垂直面に近似した勾配に設定することにより、立ち上がりと同等の作用を発揮させることができる。
【００３０】
更に、排水促進部は複数の溝を含んで構成されているから、結露水が溝を通じて洗い場領域側に流れ易くなり、排水性をより向上させることができる。
【図面の簡単な説明】
【図１】本実施例に係る浴室床が適用された浴室ユニットの一部概略斜視図。
【図２】図１のＡ−Ａ線に沿う拡大断面図。
【図３】エプロン及びカウンターを省略した図１の要部拡大平面図。
【図４】変形例に係る図２と同様の断面図。
【図５】従来例に係るサウナユニット周りの概略縦断面図。
【符号の説明】
１２・・・浴室床、１５・・・エプロン（仕切体）、１６・・・カウンター（オプション）、１７・・・サウナユニット、２０・・・洗い場領域、２１・・・サウナ設置領域、２３・・・排水促進部、２５・・・傾斜面部、２６・・・溝、２８・・・第１の領域、３０・・・第２の領域、３２・・・凸部
【図１】
2004308153.tif 000003
【図２】
2004308153.tif 000004
【図３】
2004308153.tif 000005
【図４】
2004308153.tif 000006
【図５】
2004308153.tif 000007